(57)【特許請求の範囲】
【請求項１】
車体フレームの前部上に搭載された車室と、該車室に配置されたシートの下方に搭載されたエンジンユニットとを備えたキャブオーバー自動車の前記エンジンユニットへの空気を取り入れる吸気装置の吸気口配置構造において、
閉断面をなし、車幅方向に延びる閉断面部材を、前記車室の底部後方かつエンジンユニットの上方に配置固定し、該閉断面部材の両端部を閉塞すると共に少なくとも一端部に外気取り入れ口を形成し、該閉断面部材内に前記吸気装置のエアクリーナへの吸気口を開口させた
ことを特徴とするキャブオーバー自動車の吸気装置の吸気口配置構造。
【発明の詳細な説明】
【技術分野】
【０００１】
本発明は、キャブオーバー車等の自動車において、エンジンに空気を供給する吸気装置のエアクリーナへの吸気口の配置構造に関する。
【背景技術】
【０００２】
トラック等のキャブオーバー車において、エアクリーナへの吸気口をサイドメンバのキックアップ部に設定したものが知られているが、この構造を備えた車両で冠水路を走行すると、水がサイドメンバ内に流入し、吸気口からエアクリーナ内に進入し、その結果、エンジン不調の原因となる場合がある。
【０００３】
この問題を解消するようにした従来構造として、キャビンの背面に上下方向に長い吸気ダクトを配置し、該吸気ダクトの上端の吸気口にレインキャップを被せ、もってエアクリーナの吸気口を高い位置に配置した構造（例えば特許文献１参照）や、ピラーアウタに吸気取入口を形成し、ピラー内を吸気通路とし、ピラーインナに連通管を接続する場合に、ピラー内に、カバー部材と、吸気ガイド板を配設した構造（例えば特許文献２参照）がある。
【先行技術文献】
【特許文献】
【０００４】
【特許文献１】実開平３−８２６２７号公報
【特許文献２】実開昭６２−１８４０３０号公報
【発明の概要】
【発明が解決しようとする課題】
【０００５】
前記特許文献１の構造では、長い吸気ダクトやレインキャップを要する分、構造が複雑で、コスト高となり、さらに見栄えが悪化する問題がある。
【０００６】
また、前記特許文献２の構造では、下方からの水入りを防止するには、カバー部材やガイド部材からなる複雑な構造が必要であり、さらに車室内側の空気を吸い込むため吸気音が大きいという問題がある。
【０００７】
本発明は、前記従来の状況に鑑みてなされたもので、簡単かつ低コストの構造により、冠水路を走行しても水がエアクリーナに吸い込まれ難く、また吸気音の問題が生じることもない自動車の吸気装置の吸気口配置構造を提供することを課題としている。
【課題を解決するための手段】
【０００８】
本発明は、車体フレームの前部上に搭載された車室と、該車室に配置されたシートの下方に搭載されたエンジンユニットとを備えたキャブオーバー自動車の前記エンジンユニットへの空気を取り入れる吸気装置の吸気口配置構造において、
閉断面をなし、車幅方向に延びる閉断面部材を、前記車室の底部後方かつエンジンユニットの上方に配置固定し、該閉断面部材の両端部を閉塞すると共に少なくとも一端部に外気取り入れ口を形成し、該閉断面部材内に前記吸気装置のエアクリーナへの吸気口を開口させたことを特徴としている。
【発明の効果】
【０００９】
本発明によれば、車室の底部後方かつエンジンユニットの上方に、車幅方向に延びる閉断面部材を配置固定し、該閉断面部材の両端部を閉塞すると共に少なくとも一端部に外気取り入れ口を形成し、該閉断面部材内に吸気口を開口させたので、冠水路を走行した場合でも、閉断面部材が水の流れ方向と直交する方向に延びていることから、水が閉断面部材内に進入し難く、従ってエアクリーナの吸気口に水が侵入するのを防止できる。ちなみに車両前後方向に延びる閉断面部材の場合は、閉断面部材が水の流れ方向に延びていることから、水が閉断面部材内に進入し易く、その結果水がエアクリーナを介してエンジン内に侵入し、エンジン不調の問題が生じる。
また、車室の底部後方に閉断面部材を固定したので、車室の剛性及びシートの支持剛性を向上できる。
【００１０】
また、吸気口が閉断面部材内に開口しているので、吸気音が室内に侵入することはなく、吸気音がうるさいといった問題が生じることはない。
【００１１】
また、閉断面部材内に吸気口を開口させるだけの構造で前記効果が得られ、従って構造が簡単で、低コストであり、また見栄えが悪化する問題もない。
【図面の簡単な説明】
【００１２】
【図１】本発明の実施例１に係る吸気口配置構造を備えた小型トラックの側面図である。
【図２】前記吸気口配置構造の断面側面図である。
【図３】前記吸気口配置構造を有する吸気装置の平面図である。
【図４】前記吸気口配置構造の断面側面図である。
【図５】前記吸気口配置構造の断面背面図である。
【発明を実施するための形態】
【００１３】
以下、本発明の実施の形態を添付図面に基づいて説明する。
【実施例１】
【００１４】
図１ないし図５は本発明の実施例１に係る自動車の吸気装置の吸気口配置構造を説明するための図である。
【００１５】
図において、１は本発明の実施例１に係る吸気口配置構造を備えた小型トラックである。該小型トラック１は、車体フレーム２の、前部上に車室３を搭載し、後部上に荷箱４を搭載した概略構造を有する。なお、１４aは前輪、１４bは後輪である。
【００１６】
前記車体フレーム２は、左，右一対のサイドメンバ２a，２aを複数のクロスメンバ（図示せず）で結合したいわゆるラダータイプのフレームである。
【００１７】
前記荷箱４は、荷箱フロア４aの、左，右縁部にサイドゲート４b，４bを、後縁にリヤゲート４ｃをそれぞれ開閉可能に配設した概略構造を有する。
【００１８】
前記荷箱フロア４aは、荷箱フレーム４ｄ上にフロアパネル４eを固定したものである。前記荷箱フレーム４ｄは、車幅方向に延びる複数のクロスフレーム４fを有し、該クロスフレーム４fは前記フロアパネル４eとで車幅方向に延びる閉断面を形成している。
【００１９】
前記車室３は、フロアパネル３a，バックパネル３b，左，右のサイドパネル３ｃ，フロントパネル３ｄ及びルーフパネル３eで構成されており、サイドパネル３ｃに形成されたドア開口３fはドア３gにより開閉される。
【００２０】
前記フロアパネル３aの後部には段部３hが一段高くなるように形成され、該段部３hには、シートクッション７a，シートバック７b及びヘッドレスト７ｃからなるシート７が搭載されている。
【００２１】
なお、３iは後述するエンジンユニット５用のメンテナンス開口であり、該開口３iは前記シート７のシートクッション７aにより開閉可能となっている。
【００２２】
前記バックパネル３bの、上部の車幅方向中央部にはバックウインドガラス１５が配設され、下端部３b′は前記荷箱４のフロアパネル４eに接続されている。また、該接続部には前記段部３hの後半部である後段部３ｋが接続されている。さらに該後段部３ｋ上には、横断面L字形状で車幅方向に延びる補強プレート６が配置されており、該補強プレート６の、一端６aは前記バックパネル３bの下端部３b′に、他端６bは前記後段部３ｋにそれぞれ溶接固定されている。これにより前記サイドメンバ２aより高所にて車幅方向に延びる閉断面部材８が構成されている。
【００２３】
前記車室３と荷箱４との境界付近の下方に、前記エンジユニット５が搭載されている。このエンジンユニット５は、エンジン本体５aと、これに接続された変速機５bとを有する。
【００２４】
前記エンジン本体５aには、吸気装置９が接続されている。この吸気装置９は、前記エンジン本体５aの吸気マニホールド５ｃにジョイントダクト１０aを介して接続されたエアクリーナ１０と、該エアクリーナ１０に空気を導入する吸気ダクト１１と、該吸気ダクト１１の途中に介在された吸気音低減機能を有するレゾネータ１２とで構成されている。前記エアクリーナ１０はサイドメンバ２aの車幅方向内側に、レゾネータ１２は外側にそれぞれ配置され、前記吸気ダクト１１は前記エアクリーナ１０の後側からサイドメンバ２aの上側を車幅方向外側に屈曲し、ここから車両前方に延びている。
【００２５】
そして前記吸気ダクト１１の上流端開口１１aは吸気管１３に接続されている。この吸気管１３は前記後段部３ｋを貫通し、該吸気管１３の上端開口である吸気口１３aは前記閉断面部材８内に開口している。なお、前記吸気管１３は、これに固定されたフランジ部１３bを前記後段部３ｋに溶接することで該後段部３ｋ、ひいては前記閉断面部材８に固定されている。
【００２６】
また、前記補強プレート６の車幅方向外端部６ｃ、前記後段部３ｋの車幅方向外端部３ｋ′は、前記サイドパネル３ｃのインナパネル３ｃ′にそれぞれ溶接固定されている。さらにまた、前記補強プレート６の車幅方向右端部には、外気取り入れ口６ｄが車両前方に向かって開口するように形成されている。なお、図示していないが、前記外気取り入れ口６ｄの前方には前輪１４aのホイールハウスが該外気取り入れ口６ｄを前方から覆うように近接させて配置されている。
【００２７】
以上のように、本実施例では、サイドメンバ２aより高所に位置し、車幅方向に延びる閉断面部材８内に吸気口１３aを開口させたので、冠水路を走行しても閉断面部材８が車幅方向に、つまり水の流れ方向に直交する方向に延びているため水が閉断面部材８内に進入し難く、従って吸気口１３aからエアクリーナ１０内、ひいてはエンジン本体５a内に水が侵入するのを防止できる。また、外気取り入れ口６ｄを車幅方向右端部に配置し、該外気取り入れ口６ｄをホイールハウスで覆うように構成したので、閉断面部材８内に水が進入するのをより一層確実に防止できる。
【００２８】
また、吸気口１３aを閉断面部材８内に開口させたので、吸気音が室内に侵入することはなく、吸気音の問題が生じることはない。
【００２９】
また、閉断面部材８内に吸気口１３aを開口させるだけの簡単な構造で前記効果を実現しており、構造が簡単で、低コストであり、また見栄えが悪化する問題もない。
【符号の説明】
【００３１】
１  小型トラック（自動車）
２a  サイドメンバ
８  閉断面部材
９  吸気装置
１０  エアクリーナ
１３a  吸気口
【図１】
0006425946.tif 000002
【図２】
0006425946.tif 000003
【図３】
0006425946.tif 000004
【図４】
0006425946.tif 000005
【図５】
0006425946.tif 000006